(57)【要約】  オフセットウェブ印刷ユニットには、版胴と、ブランケット胴とが設けられており、版胴が、胴抜き操作の際に可動であり、刷版を版胴に押し込むためのタッカバーが設けられており、該タッカバーが、胴抜き操作の際にギャップを減じるために版胴の軸線に対して可能な軸線を有する。方法も提供される。
2008534330.tif 000002
【特許請求の範囲】
【請求項１】
オフセットウェブ印刷ユニットにおいて、
版胴と、ブランケット胴とが設けられており、前記版胴が、胴抜き操作の際に可動であり、刷版を版胴に押し込むためのタッカバーが設けられており、該タッカバーが、胴抜き操作の際にギャップを減じるために版胴の軸線に対して可能な軸線を有することを特徴とする、オフセットウェブ印刷ユニット。
【請求項２】
前記版胴と前記タッカバーとを支持するフレームが設けられている、請求項１記載のオフセットウェブ印刷ユニット。
【請求項３】
前記版胴が移動するときに該版胴に対してタッカバーの軸線を移動させるためのタッカ機構が設けられている、請求項１記載のオフセットウェブ印刷ユニット。
【請求項４】
前記版胴を支持するための版胴支持体が設けられており、操作の際に前記版胴支持体を移動させるための空圧式のモータが設けられている、請求項１記載のオフセットウェブ印刷ユニット。
【請求項５】
タッカバーを移動させる方法において、
版胴をブランケット胴から胴抜きするステップと、
胴抜きの際に、最小限のギャップを維持するようにタッカバーの軸線を版胴の軸線に対して移動させるステップとを含むことを特徴とする、タッカバーを移動させる方法。
【請求項６】
最小限のギャップ６ｍｍ又は版胴の６ｍｍ以内である、請求項５記載の方法。
【請求項７】
前記タッカバーが、版胴とブランケット胴との間のニップを防護する、請求項５記載の方法。
【発明の詳細な説明】
【技術分野】
【０００１】
本願は、引用したことにより本明細書に記載されたものとする２００５年３月３０日に出願された米国特許仮出願第６０／６６６４３９号明細書の優先権を主張する。
【０００２】
背景
本発明は概して印刷機、特に、分離可能なブランケットを有するウェブオフセット印刷機に関する。
【０００３】
米国特許第４２４０３４６号明細書には、例えば、ブランケット胴の胴抜きを許容するために互いから分離可能な２つのブランケット胴を備えた印刷機が記載されている。このような印刷機において、ブランケット胴は垂直方向から互いにずらされており、ブランケットがずらされているときにウェブをブランケット胴の間に通過させるために、リードローラ又はエアバーが必要であり、これにより、ブランケット胴の間を通るウェブを適切に案内する。これらのガイドは、被印刷製品にマーキングを生じる可能性があり、また、２つの印刷ユニットの間でウェブの見当を変更する可能性があり、劣悪な印刷品質を生じる。
【０００４】
引用したことにより本明細書に記載されたものとする米国特許第６４３９１１７号明細書には、それぞれの刷版が、他の刷版が取り付けられたまま、独立して取り外されるマルチプレートシリンダを有する印刷機が開示されている。この印刷機は、ロックアップバーに隣接してタッカをも有しており、タッカバーは、少なくとも、版胴上の第１の刷版を押し込みかつ保持するための第１のセグメントと、版胴上の第２の刷版を押し込みかつ保持するための第２のセグメントとを有しており、第１のセグメントは、第２のセグメントに対して独立して可動である。
【０００５】
引用したことにより本明細書に記載されたものとする米国特許第６５９５１３５号明細書には、軸方向に延びたギャップを有する版胴を備える印刷ユニットが開示されている。タッカバーは作動位置を有しており、作動位置におけるタッカバーは、刷版のくわえじりを、軸方向に延びたギャップに押し込むことができる。タッカバー制御装置は、タッカバーを自動的に作動位置から非作動位置へ移動させる。
【０００６】
米国特許第６２１６５９２号明細書及び米国特許第６０１９０３９号明細書は、胴抜き機構を備える印刷ユニットを示しており、引用したことにより本明細書に記載されたものとする。
【０００７】
発明の概要
定置のテールタッカアセンブリは、印刷機の運転中、当接位置から非当接位置までの印刷胴の位置の範囲に亘って、版胴とブランケット胴との間のニップを防護する。タッカは、印刷胴が刷版交換位置にあるときにテール押込みのために位置決めされる。
【０００８】
自動引渡し印刷ユニットにおいては、印刷胴の当接から非当接への移動が増大される。非当接位置においては、従来のタッカと版胴との間の距離は３０ｍｍであることができる。このより大きなギャップは、版胴とブランケット胴との間のニップへのアクセスを提供する。しかしながら、指が例えば版胴とブランケット胴との間に挟まるのを防ぐために、６ｍｍのギャップが好ましい。
【０００９】
枢着タッカを提供することにより、自動引渡し印刷ユニットの、版胴とブランケット胴との間のニップが、印刷胴の移動全体に亘って防護される。フレームと版胴ボックスとに固定されたリンク装置のアセンブリが、胴が胴入れ及び胴抜きされるときにテールタッカを移動させる。テールタッカの移動は、印刷胴の移動の間、最小限のギャップを維持する。
【００１０】
本発明は、版胴と、ブランケット胴とが設けられており、版胴は胴抜き操作の間可動であり、刷版を版胴に押し込むためのタッカバーが設けられており、該タッカバーが、胴抜き操作の間にギャップを減じるために版胴の軸線に対して可動な軸線を有する、オフセットウェブ印刷ユニットを提供する。
【００１１】
本発明は、版胴をブランケット胴から胴抜きさせ、胴抜きの間、最小限のギャップを維持するようにタッカバーの軸線を版胴の軸線に対して移動させることを含む、タッカバーを移動させるための方法をも提供する。
【００１２】
図面の簡単な説明
本発明の好適な実施形態が図面を参照にして説明される。
【００１３】
図１はウェブオフセット印刷機を示している。
【００１４】
図２は、第１の印刷位置における支持カムを示している。
【００１５】
図３は移行位置における支持カムを示している。
【００１６】
図４は、版胴とブランケット胴とが接触している第１の胴抜き位置における支持カムを示している。
【００１７】
図５は、版胴とブランケット胴とが接触していない第２の胴抜き位置における支持カムを示している。
【００１８】
図６は、自動刷版交換装置のタッカの側面図を示している。
【００１９】
図７は、本発明のタッカの端面図を示している。
【００２０】
図８は、本発明のタッカの斜視図を示している。
【００２１】
図９は、タッカ結合部の分解図を示している。
【００２２】
好適な実施形態の詳細な説明
図１は、８つのオフセット印刷ユニット１０，１２，１４，１６，１８，２０，２２，２４を有するウェブオフセット印刷機を示しており、それぞれのオフセット印刷ユニットは、版胴４２と、ブランケット胴４４と、版胴４８と、ブランケット胴４６とを有している。印刷ユニット１０，１２，１４，１６において示されたように、ブランケット胴４４及び４６は印刷モードにおいてウェブ３０を挟持し、これらの印刷ユニットはそれぞれ、例えばブラック、シアン、イエロー及びマゼンタを印刷することができる。ウェブは、ニップローラ３２（例えばインフィードローラであることができる）を介して印刷ユニットに進入し、例えばドライヤの下流に配置された出口ローラ３４を介して退出することができる。
【００２３】
各印刷ユニットのためのブランケット胴４４，４６は、ユニット２２及び２４のために示されているように、互いに分離するために及び個々の版胴４２，４８から分離するために胴抜きされることができる。版胴４２，４８はそれぞれ、自動刷版交換作業の間、例えばそれぞれ自動刷版交換装置４０及び５０を介して、ブランケット胴４４，４６と再び接触することができる。自動刷版交換装置は、米国特許第６０５３１０５号明細書、米国特許第６４６０４５７号明細書、及び米国特許第６３９７７５１号明細書に記載され、これらの明細書は、引用したことにより本明細書に記載されたものとする。
【００２４】
ブランケット胴及び版胴４６，４８を移動させるための胴抜き機構６０が概略的に示されている。ブランケット胴４４と版胴４２とは同様の胴抜き機構を有することができる。好適には、各印刷ユニットは２つのモータ７０，７２によって駆動され、一方のモータは、版胴４８又はブランケット胴４６，４８のうちの一方を駆動し、もう一方のモータは、版胴４２又はブランケット胴４４のうちの一方を駆動する。駆動されない胴は、ウェブ３０のそれぞれの側における駆動される胴に歯車で噛み合わされている。各印刷ユニット１０，１２．．．２４は同じであることができる。
【００２５】
ニップローラ３２とニップローラ３４との間のウェブ経路長さは有利には、印刷ユニットのうちの１つが、胴抜きされたブランケット胴を有する場合でさえも、変更される必要はない。胴抜きによって見当は影響を受けない。さらに、ウェブがブランケット胴４４，４６に接触するとマーキングを生じるのでウェブがブランケット胴４４，４６に接触しないように、リードローラ又はエアローラ等のウェブ逸らせ装置又はスタビライザは必要とされない。
【００２６】
胴抜き距離Ｄは好適には少なくとも０．５インチであり、最も好適には少なくとも１インチであり、その場合ウェブはウェブのそれぞれの側に０．５インチの間隙を有する。さらに、ブランケット胴４４，４６の中心は好適にはほぼ垂直の平面Ｖに位置し、この平面は、完全な垂直に対して好適には１０度以下を成す。これは、胴抜きが、水平方向に走行するウェブのために最大の間隙を提供するという利点を有する。
【００２７】
版胴の円周は好適には、６３０ｍｍ未満、最も好適には５７８ｍｍである。
【００２８】
大きな胴抜き距離Ｄの形成が、以下のとおり典型的な実施形態を用いて説明される。
【００２９】
図２は、下部ブランケット胴４４のための胴抜き機構６０を示している。ブランケット胴支持体１０２はブランケット胴４４の歯車側軸１４４を支持し、版胴支持体１０４は版胴４２の歯車側軸１４２を支持している。ブランケット胴支持体１０２は軸線１１６を中心に回動可能であり、版胴支持体は軸線１１４を中心に回動可能である。空圧式シリンダ１０６はアーム１０８を介して版胴支持体１０４を移動させることができる。
【００３０】
印刷位置においてブランケット胴４４がブランケット胴４６と接触している場合、支持体１０２の第１の支持面１１１が支持体１０４の第２の支持面１１２と接触し、支持体１０２の別の支持面１０９は支持体１０４の支持面１１０と接触しない。したがって、距離Ｆがゼロであるのに対し、面１０９と１１０との間の距離Ｇは０．００４５インチであることができる。軸１４４及び１４２の軸線中心の間の距離Ｈは７．２４６３インチであることができる。
【００３１】
図３においては、支持体１０４が下方へ移動させられているので、距離Ｈは例えば７．２４１６インチであることができ、距離Ｆ及びＧはゼロである。したがって、カム面１１１，１１２及び１０９，１１０は互いの間で荷重を受け渡す。
【００３２】
図４に示されたように、支持体１０４が更に下方へ移動すると、ブランケット胴４４はブランケット胴４６から離反させられ、支持体１０２の支持面すなわちカム１０９はボックス１０４の支持面１１０に接触し、ブランケット胴ボックス１０２は面１０９／１１０においてボックス１０４に載置される。ボックス１０２の支持面１１１とボックス１０４の支持面１１２との間の距離は０．１５６１インチであることができる。支持面１０９はブランケット胴４４と同じ曲率を有することができ、支持面１１０は版胴４２と同じ曲率を有することができるので、図４においても距離Ｈは依然として７．２４１６インチのままである。この点において、延長部１２２もちょうどフレーム上の定置のストッパ１２０に接触する。
【００３３】
図５に示されているように、支持体１０４が更に下方へ移動させられると、ブランケット支持体１０２がストッパ１２０に載置されるのに対し、版胴支持体１０４は更に下方へ移動する。したがって、支持面１０９と１１０との間の距離Ｇが増大し、例えば１ｍｍであることができる。距離Ｆも増大する。この位置において、刷版を取り外したり交換するための版胴４２へのアクセスが可能になる。自動刷版交換の場合、自動刷版交換機構がそのように要求すれば、版胴４２は図４に示されたようにブランケット胴４４に対して再び接触するように移動させられることができる。
【００３４】
上側の版胴及びブランケット胴胴抜き機構は、２つの支持面を用いて同様の形式で移動することができるが、重力の効果が異なるので、同様の孔１３０，１３２の間にリンクが設けられることができ、これにより、版胴４８の持上げが、ブランケット胴４６をも持ち上げるようになっている。
【００３５】
図２に示されているように、駆動歯車２８０はブランケット胴歯車２６０を駆動することができる。ブランケット胴歯車２６０は同様の版胴歯車を駆動することができる。これらの歯車２８０，２６０は軸方向で支持体１０２の内側、すなわち図面で見て支持体１０２の向こう側に設けられていることができる。歯車の接線方向の配列により、支持体１０２の回転は歯車２６０を（並進しない軸線を有する）歯車２８０から解離させない。図２、図３、図４及び図５の位置において、ブランケット胴歯車２６０及び相互作用する版胴歯車は歯車２８０によって駆動されることができる。したがって、自動刷版交換のためにモータ７２が使用されることができる。
【００３６】
図４に示されているように、版胴４２のためのタッカ機構３０２は、支持体１０４の孔１３６，１３４に取り付けられている。
【００３７】
図６、図７及び図８は、本発明のタッカ機構３０２を示している。大きな胴抜き距離が達成された場合、従来のタッカと版胴との間の距離は３０ｍｍのギャップであることができる。しかしながら、指が例えば版胴とブランケット胴との間に挟まるのを防ぐために、６ｍｍのギャップが好ましい。
【００３８】
したがって、タッカ機構３０２は、タッカ３３０を備えるタッカバー３２０を有し、タッカバー３２０は、タッカ支持プレート３１２を介して版胴支持体１０４に回転可能に支持されている。図７に示されたようにプレート３１０を介してフレーム３００に固定されたアーム３０８は、版胴支持体１０４がシリンダ１０６（図４）によって移動させられた場合に支持プレート３１２を回転させ、これにより、タッカバー３２０は、版胴４２の移動全体に亘って、タッカバー３２０と版胴４２との間に、例えば６ｍｍの最小限のギャップを維持する。
【００３９】
図８に示されているように、タッカ機構３０２は、図６に示されたタッカ３３０を備えたタッカバー３２０を有する。タッカバー３２０は、フォーク部材３１６及びタッカバーコネクタ３１８を介してタッカ支持プレート３１２によって、回転可能に支持されている。アーム３０８とリンク３０９とは図９に示されたように接続されている。タッカ支持プレート３１２は、リンク３１１及びアーム３０８を介して版胴支持体１０４に接続されている。
【００４０】
ピボットカム３１３は、フォーク３１６に嵌合しており、エアシリンダ３１９を介してタッカバーを回転させるために使用されることができる。
【００４１】
枢動のために、空圧シリンダ１０６（図４）が版胴支持体１０４を移動させ、これにより、図９に示されたようにアーム３０８がリンク３０９を介して支持体１０４に接続されているので、アーム３０８が定置のプレート３１０を中心にして回動する。アーム３０８は支持プレート３１２をリンク３１１を中心にして回動若しくは枢動させ、したがって、支持プレート３１２はタッカバーコネクタ３１８を介してタッカバー３２０を移動させ、これにより、タッカバー３２０は、胴抜きの間の版胴４２の移動全体に亘って、タッカバー３２０と版胴４４との間に、例えば６ｍｍの最小限のギャップを維持する。
【図面の簡単な説明】
【００４２】
【図１】ウェブオフセット印刷機を示している。
【図２】第１の印刷位置における支持カムを示している。
【図３】移行位置における支持カムを示している。
【図４】版胴とブランケット胴とが接触している第１の胴抜き位置における支持カムを示している。
【図５】版胴とブランケット胴とが接触していない第２の胴抜き位置における支持カムを示している。
【図６】自動刷版交換装置のタッカの側面図を示している。
【図７】本発明のタッカの端面図を示している。
【図８】本発明のタッカの斜視図を示している。
【図９】タッカ結合部の分解図を示している。
【符号の説明】
【００４３】
１０，１２，１４，１６，１８，２０，２２，２４  印刷ユニット、  ３０  ウェブ、  ３２  ニップローラ、  ３４  出口ローラ、  ４２  版胴、  ４４，４６  ブランケット胴、  ４８  版胴、  ６０  胴抜き機構、  ７０，７２  モータ、  １０２  ブランケット胴支持体、  １０４  版胴支持体、  １０６  空圧式シリンダ、  １０８  アーム、  １０９，１１０，１１１  支持面、  １１４，１１６  軸線、  １２０  ストッパ、  １２２  延長部、  １３０，１３２  孔、  ２６０  ブランケット胴歯車、  ２８０  駆動歯車、  ３００  フレーム、  ３０２  タッカ機構、  ３０８  アーム、  ３０９  リンク、  ３１０  プレート、  ３１１  リンク、  ３１２  タッカ支持プレート、  ３１３  ピボットカム、  ３１６  フォーク、  ３１８  タッカバーコネクタ、  ３１９  エアシリンダ、  ３２０  タッカバー、  ３３０  タッカ
【図１】
2008534330.tif 000003
【図２】
2008534330.tif 000004
【図３】
2008534330.tif 000005
【図４】
2008534330.tif 000006
【図５】
2008534330.tif 000007
【図６】
2008534330.tif 000008
【図７】
2008534330.tif 000009
【図８】
2008534330.tif 000010
【図９】
2008534330.tif 000011
【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
オフセットウェブ印刷ユニットにおいて、
版胴と、ブランケット胴とが設けられており、前記版胴が、胴抜き操作の際に可動であり、刷版を前記版胴に押し込むためのタッカバーが設けられており、該タッカバーが、胴抜き操作の際に、該タッカバーと版胴との間のギャップを減じるように、版胴の軸線に対して可動な軸線を有することを特徴とする、オフセットウェブ印刷ユニット。
【請求項２】
前記版胴と前記タッカバーとを支持するフレームが設けられている、請求項１記載のオフセットウェブ印刷ユニット。
【請求項３】
前記版胴が移動するときに、該版胴の軸線に対して前記タッカバーの軸線を移動させるためのタッカ機構が設けられている、請求項１記載のオフセットウェブ印刷ユニット。
【請求項４】
版胴を支持するための版胴支持体と、操作の際に前記版胴支持体を移動させるための空圧式のモータとが設けられている、請求項１記載のオフセットウェブ印刷ユニット。
【請求項５】
タッカバーを移動させる方法において、
版胴をブランケット胴から胴抜きするステップと、
前記胴抜きの際に、タッカバーと版胴との間の最小限のギャップを維持するために、版胴の軸線に対してタッカバーの軸線を移動させるステップとを含むことを特徴とする、タッカバーを移動させる方法。
【請求項６】
前記最小限のギャップが、６ｍｍ以下である、請求項５記載の方法。
【請求項７】
前記タッカバーが、版胴とブランケット胴との間のニップを防護する、請求項５記載の方法。
【請求項８】
前記タッカバーが、版胴に機械的に接続されている、請求項１記載のオフセットウェブ印刷ユニット。
【請求項９】
前記タッカ機構がタッカを含んでいる、請求項３記載のオフセットウェブ印刷ユニット。
【請求項１０】
前記タッカバーが、版胴とブランケット胴との間のニップを防護する、請求項１記載のオフセットウェブ印刷ユニット。
【請求項１１】
前記タッカバーが、ピボットカムとフォークとによって、タッカ支持プレートに回転可能に接続されている、請求項１記載のオフセットウェブ印刷ユニット。
【請求項１２】
前記タッカ支持プレートが版胴支持体に接続されている、請求項１１記載のオフセットウェブ印刷ユニット。
【請求項１３】
タッカ支持プレートが、アームと複数のリンクとによって版胴支持体に回転可能に接続されている、請求項１３記載のオフセットウェブ印刷ユニット。
【請求項１４】
タッカバーの軸線を移動させるステップが、版胴支持体を移動させるために空圧式シリンダを使用することを含み、版胴支持体はアームを移動させ、タッカ支持プレートを回転させる、請求項５記載の方法。
【国際調査報告】
2008534330.tif 000012